(57)【要約】      （修正有）【課題】流体制御弁において、内部に溜まった水が凍結しても、装置の大型化・高コスト化を招くことなく、弁の開閉性を高く維持する。【解決手段】流体制御弁は、流入口と流出口とを有する流路が形成されたバルブハウジング４１１において軸方向に移動するバルブシャフトと、バルブシャフトの軸心に対し半径方向に延びるように取り付けられ、下面がバルブハウジング４１１の調圧弁座４１１ｆに離れまたは接触して流路を開閉するバルブ部材４５と、を備えている。バルブハウジング４１１は、バルブシャフトが水平面に対して傾斜するように取付先部材に取り付けられ、バルブ部材４５は、バルブハウジング４１１の流路であって調圧弁座４１１ｆが形成されている部分のうち流路内の液体が自重によって溜まる部分Ｒ１ａに対応する、バルブ部材４５の上面の縁部に沿って形成された壁部４５２ｂを備えている。【選択図】図４
2015014331.tif 000002
【特許請求の範囲】
【請求項１】
気体の流入口と流出口とを有する流路が形成されたバルブハウジングと、
前記バルブハウジングに取り付けられた駆動装置と、
前記駆動装置の出力軸に連結されて、前記バルブハウジングにおいて軸方向に移動する弁軸と、
前記弁軸の軸心に対し半径方向に延びるように取り付けられ、前記弁軸とともに移動することにより、一側の面が前記バルブハウジングの流路に形成された弁座に離れまたは接触して前記流路を開閉する弁体と、
を備え、
前記バルブハウジングは、前記弁軸が水平面に対して傾斜するように取付先部材に取り付けられ、
前記弁体は、前記バルブハウジングの前記流路であって前記弁座が形成されている部分のうち前記流路内の液体が自重によって溜まる部分に対応する、前記弁体の一側の面の反対側の他側の面の縁部に沿って形成された壁部を備えた流体制御弁。
【請求項２】
前記壁部は、前記弁体の他側の面の縁部の全周に亘って形成されている請求項１記載の流体制御弁。
【請求項３】
前記バルブハウジングは、前記弁座の外周に全周に亘って形成された溝部を有する請求項１または請求項２記載の流体制御弁。
【請求項４】
前記弁体とともに移動するダイヤフラムをさらに備え、
前記ダイヤフラムの一側は前記流路および前記弁座を含んで構成され前記流体が流通する流体室に面しており、前記ダイヤフラムの他側は前記流体の進入が禁止され大気に開放されている空気室に面しており、
前記ダイヤフラムの有効受圧面積は前記弁体の有効受圧面積より大きい請求項１乃至請求項３のいずれか一項記載の流体制御弁。
【請求項５】
前記壁部は、前記弁体が開弁位置にあるとき、該壁部と前記流路の内壁との間の流路断面積を所定値以上となるように形成されている請求項１乃至請求項４のいずれか一項記載の流体制御弁。
【発明の詳細な説明】
【技術分野】
【０００１】
本発明は、流体の流れを制御する流体制御弁に関する。
【背景技術】
【０００２】
流体制御弁の一形式として、特許文献１に示されているものが知られている。特許文献１の図１に示されているように、流体制御弁は、気体の流入口と流出口とを有する流路（流体入口通路１７、連通路１９および流体出口通路１８から構成されている）が形成されたバルブハウジング（第１および第２バルブ本体１１，１２）と、バルブハウジングに取り付けられた駆動装置（電磁アクチュエータ１６）と、駆動装置の出力軸に連結されて、バルブハウジングにおいて軸方向に移動する弁軸（プランジャ１６ａ）と、弁軸の軸心に対し半径方向に延びるように取り付けられ、弁軸とともに移動することにより、一側の面がバルブハウジングの流路に形成された弁座（シート部２０）に離れまたは接触して流路を開閉する弁体１５と、を備えている。
【先行技術文献】
【特許文献】
【０００３】
【特許文献１】特許第４１４１８１０号公報
【発明の概要】
【発明が解決しようとする課題】
【０００４】
上述した特許文献１に記載されている流体制御弁においては、弁軸が水平面に対して傾斜した状態（例えば特許文献１の図１で流体出口通路１８が下側に位置する状態）でバルブハウジングが取付先部材に取り付けられた場合、弁体が弁座に接触（着座）している際に流路内の液体（例えば水）が、弁体の上面部を越えるほど流路の最下部（例えば弁座の左側）に溜まることがある。このとき、この水が凍結すると、流体制御弁が開かないおそれがある。
この問題を解決するために、駆動装置の駆動力を向上させることで、凍結固着している弁体を作動させることが考えられるが、駆動装置の大型化・高コスト化を招くこととなる。
【０００５】
本発明は、上述した各問題を解消するためになされたもので、流体制御弁において、内部に溜まった水が凍結しても、装置の大型化・高コスト化を招くことなく、弁の開閉性を高く維持することを目的とする。
【課題を解決するための手段】
【０００６】
上記の課題を解決するため、請求項１に係る流体制御弁の発明は、気体の流入口と流出口とを有する流路が形成されたバルブハウジングと、バルブハウジングに取り付けられた駆動装置と、駆動装置の出力軸に連結されて、バルブハウジングにおいて軸方向に移動する弁軸と、弁軸の軸心に対し半径方向に延びるように取り付けられ、弁軸とともに移動することにより、一側の面がバルブハウジングの流路に形成された弁座に離れまたは接触して流路を開閉する弁体と、を備え、バルブハウジングは、弁軸が水平面に対して傾斜するように取付先部材に取り付けられ、弁体は、バルブハウジングの流路であって弁座が形成されている部分のうち流路内の液体が自重によって溜まる部分に対応する、弁体の一側の面の反対側の他側の面の縁部に沿って形成された壁部を備えている。
【０００７】
これによれば、弁軸が水平面に対して傾斜した状態でバルブハウジングが取付先部材に取り付けられたとき、弁体が弁座に接触（着座）している際に流路内の液体（例えば水）が流路の一部（例えば最下部）に溜まった場合、弁体の他側の面（上面）に形成された壁部が、溜まった水が弁体の上面部を越える（弁体の他側の面（上面）上まで浸水する）のを抑制することができる。よって、溜まった水が凍結した場合であっても、駆動力の比較的大きな大型・高コストの駆動装置を設けることなく、従来どおりの比較的小駆動力の小型・低コストの駆動装置を使用することで、凍結固着した弁体を作動させて流体制御弁の開弁性を高く維持することができる。
【０００８】
また請求項２に係る発明は、請求項１の流体制御弁において、壁部は、弁体の他側の面の縁部の全周に亘って形成されている。
これによれば、弁体の他側の面（上面）の上方の流体内壁から水が弁体の上面に落ちたとき、その落水は弁体の縁部全周に形成された壁部によって弁体上面に貯水されるため、バルブハウジングの流路の一部（例えば最下部）に溜まる水量を少なく抑制することができ、ひいては溜まった水が弁体の上面部を越える（弁体の他側の面（上面）上まで浸水する）のをさらに抑制することができる。また、バルブハウジングに弁体を組み付ける際に、壁部を所定位置（水が溜まる部分に対応する位置）に位置決めする工程を省略することでき、ひいては弁体の組付けを容易にすることができる。（さらに、駐車中の車両の傾斜角度によっては、水が溜まる部分が変更するときがあるが、このときに溜まった水が凍結した場合であっても、駆動力の比較的大きな大型・高コストの駆動装置を設けることなく、従来どおりの比較的小駆動力の小型・低コストの駆動装置を使用することで、凍結固着した弁体を作動させて流体制御弁を開弁することができる。）
【０００９】
また請求項３に係る発明は、請求項１または請求項２の流体制御弁において、バルブハウジングは、弁座の外周に全周に亘って形成された溝部を有する。
これによれば、バルブハウジングの流路の一部（例えば最下部）にある水が溜まる部分の貯水量を溝部の容積だけ増量することができるため、水が溜まる部分に溜まる水量を少なく抑制することができ、ひいては溜まった水が弁体の上面部を越える（弁体の他側の面（上面）上まで浸水する）のをさらに抑制することができる。
【００１０】
また請求項４に係る発明は、請求項１乃至請求項３のいずれか一項の流体制御弁において、弁体とともに移動するダイヤフラムをさらに備え、ダイヤフラムの一側は流路および弁座を含んで構成され流体が流通する流体室に面しており、ダイヤフラムの他側は流体の進入が禁止され大気に開放されている空気室に面しており、ダイヤフラムの有効受圧面積は弁体の有効受圧面積より大きい。
これによれば、弁体とともに移動するダイヤフラムをさらに備えた流体制御弁においても、上述した請求項１から請求項３までの作用効果を得ることができる。
【００１１】
また請求項５に係る発明は、請求項１乃至請求項４のうちいずれか一項の流体制御弁において、壁部は、弁体が開弁位置にあるとき、該壁部と流路の内壁との間の流路断面積を所定値以上となるように形成されている。
これによれば、流体制御弁が開弁状態にあるとき、壁部と流路の内壁との間の流路は所定値以上の流路断面積を確実に確保することができるので、圧力損失を低く抑制することができる。
【図面の簡単な説明】
【００１２】
【図１】本発明の一実施形態による燃料電池システムを示したブロック図である。
【図２】図１に示したエア調圧弁の閉弁時の部分断面図である。
【図３】図１に示した三方弁の閉弁時の部分断面図である。
【図４】図２に示したエア調圧弁の作用効果を説明するための水が溜まる部分および壁部を含んだ付近の部分断面図である。左側の図が壁部なしのもので、右側が壁部ありのものである。
【図５】図３に示した三方弁の作用効果を説明するための水が溜まる部分および壁部を含んだ付近の部分断面図である。左側の図が壁部なしのもので、右側が壁部ありのものである。
【図６】図２に示すエア調圧弁の変形例を説明するための断面図である。
【発明を実施するための形態】
【００１３】
以下、図１−３に基づき、本発明の一実施形態による三方弁３およびエア調圧弁４について説明する。図１に示すように、本実施形態による三方弁３およびエア調圧弁４（流体制御弁に該当する）は、車両に搭載された燃料電池システム１の酸素系２に適用されている。しかしながら、本発明はこれに限定されるべきものではなく、燃料供給系システムあるいは油圧ブレーキシステムといった、車両用流体制御弁として広範囲に使用することが可能であり、また、家庭用機器もしくは一般産業機械用の流体制御弁としても適用することが可能である。
【００１４】
また、以下、図２における上方および下方を、それぞれエア調圧弁４の上方および下方とし、図２における右方および左方を、それぞれエア調圧弁４の右方および左方として説明しているが、車両におけるエア調圧弁４の実際の取付方向とは無関係である。なお、車両におけるエア調圧弁４は、バルブシャフト４４が水平面に対して傾斜するように、すなわち図４に示すようにバルブ部材４５が水平面に対して傾斜するように、車両に設けられた取付部１１ａ（取付先部材に該当する）に取り付けられている。
【００１５】
図１に示すように、燃料電池システム１は、酸素系２、燃料系５、電池スタック６、動力系７、冷却系８および制御装置９とから形成されている。
電池スタック６は、これに限定されるべきものではないが、複数の固体高分子型の単セルが積層されることで形成されている。複数の単セルは電気的に直列に接続されており、各々の単セルは電解質膜と、これを挟むアノード極およびカソード極（いずれも図示せず）を含んでいる。また、単セルのアノードセパレータ（図示せず）には、アノード極に対して水素ガスを供給するためのアノード流路６１が形成されており、カソードセパレータ（図示せず）には、カソード極に対して空気を供給するためのカソード流路６２が形成されている。
【００１６】
酸素系２は酸素系供給配管２１ａを備えており、酸素系供給配管２１ａは電池スタック６内のカソード流路６２の一端と接続されている。酸素系供給配管２１ａ上には、電池スタック６に向けて順に、エアフィルタ２２、エアコンプレッサ２３、インタークーラ２４および三方弁３が形成されている。
カソード流路６２の他端には酸素系排出配管２１ｂの一端が接続されており、酸素系排出配管２１ｂ上には、２ポートの流体制御弁であるエア調圧弁４が設けられている。また、前述した三方弁３は３ポートの流体制御弁であって、バイパス配管２１ｃの一端が接続されており、バイパス配管２１ｃの他端は、酸素系排出配管２１ｂのエア調圧弁４よりも下流側部位（電池スタック６が接続されていない側）に接続されている。
【００１７】
一方、燃料系５は、燃料系供給配管５１ａの一端に水素タンク５２が接続されており、燃料系供給配管５１ａ上には遮断弁５３が形成されている。燃料系供給配管５１ａの他端は、電池スタック６内のアノード流路６１の一端と接続されている。アノード流路６１の他端には、燃料系排出配管５１ｂが接続されており、燃料系排出配管５１ｂ上には、電池スタック６に近い側から順に、気液分離器５４、排気排水弁５５および排出ガス希釈器５６が形成されている。排出ガス希釈器５６には、上述した酸素系排出配管２１ｂの他端が接続されている。
【００１８】
また、気液分離器５４は燃料系循環路５１ｃを介して、燃料系供給配管５１ａ上の遮断弁５３とアノード流路６１との接続部との間の部位に接続されている。燃料系循環路５１ｃ上には循環ポンプ５７が設けられており、気液分離器５４からアノード流路６１に向けて水素ガスを循環させている。
動力系７は、車両を走行させるための電動モータ７１を備えている。電動モータ７１は電池スタック６の正極および負極と接続されており、電池スタック６の発電によって駆動される。
【００１９】
また、冷却系８は水冷ポンプ８１を備え、電池スタック６内に冷却水を循環させて電池スタック６を冷却している。
制御装置９は、エアコンプレッサ２３、三方弁３、エア調圧弁４、遮断弁５３、循環ポンプ５７および冷却ポンプ８１と電気的に接続されている。制御装置９は車両の走行状態に応じて算出された電池スタック６の必要な発電量に基づき、これらの各構成要素の作動を制御している。
上述した構成により、車両が運転開始すると、制御装置９はエアコンプレッサ２３を作動させてカソード流路６２へ空気を供給するとともに、遮断弁５３および循環ポンプ５７を作動させてアノード流路６１へ水素ガスを供給し、電池スタック６において発電を行う。
【００２０】
酸素系２において、エアフィルタ２２を介して吸引された酸素を含んだ空気は、エアコンプレッサ２３において圧縮された後、インタークーラ２４によって冷却される。三方弁３は、電池スタック６の発電量に応じてバルブ部材の位置を変位させ、インタークーラ２４から供給された空気を分流してバイパス配管２１ｃへ逃すことにより、電池スタック６への空気の流量を制御している。
また、エア調圧弁４は、その開度を調整し電池スタック６内に残存した空気の排出量を調整することにより、電池スタック６内の圧力を制御している。
【００２１】
アノード流路６１から排出される水素オフガス（燃料ガスオフガス）には発電に使用されなかった水素ガスと発電によって生成された水（水蒸気）が含まれている。気液分離器５４は水素ガスと水を分離する機能を有している。気液分離器５４で分離された水素ガスは循環ポンプ５７により燃料系循環路５１ｃを介して燃料系供給配管５１ａに供給され循環される。気液分離器５４で分離された水（液状）は排気排水弁５５が開弁状態になったとき、水素ガスとともに排出ガス希釈器５６に送られる。気液分離器５４から排出ガス希釈器５６に排出された水素ガスは、排出ガス希釈器５６において、酸素系排出配管２１ｂから供給された空気により希釈化された後、水とともに外部へと放出される。
【００２２】
次に、エア調圧弁４の構造について詳細に説明する。図２に示したように、エア調圧弁４は、バルブハウジング４１の外周面にモータアッセンブリ４２（駆動装置に該当する）が取り付けられて形成されている。バルブハウジング４１は、ポリフェニレンサルファイド等の合成樹脂材料にて形成されたバルブボデー４１１と、金属板により一体に形成されたバルブカバー４１２とを互いに結合させて形成されている。尚、本実施形態においては、駆動装置として電動モータを使用したモータアッセンブリ４２を使用しているが、ソレノイドアクチュエータやガス圧によって駆動されるアクチュエータなどを使用してもよい。
【００２３】
バルブボデー４１１には、バルブカバー４１２の取り付け用の金属製のカバー取付スリーブ４１１ａがインサートされている。また、バルブボデー４１１のフランジ部４１１ｂには、エア調圧弁４を車両に取り付けるための金属スリーブ４１１ｃがインサートされている。カバー取付スリーブ４１１ａおよび金属スリーブ４１１ｃの内周面には、雌螺子が形成されている。
フランジ部４１１ｂは、車両の取付部１１ａにネジ止め固定されている。このとき、図４に示すように、バルブシャフト４４が水平面に対して傾斜するように、すなわちバルブ部材４５が水平面に対して傾斜するように、バルブボデー４１１が取付部１１ａに取り付けられている。
【００２４】
バルブボデー４１１には、図２において右方に開口する調圧弁インレット４１１ｄ（流入口に該当する）が形成されている。調圧弁インレット４１１ｄは、上述した酸素系排出配管２１ｂを介して、電池スタック６のカソード流路６２の他端に接続されている（図１参照）。また、バルブボデー４１１には、調圧弁インレット４１１ｄに対し垂直方向に開口（図２において下方に開口）する調圧弁アウトレット４１１ｅ（流出口に該当する）が形成されている。調圧弁アウトレット４１１ｅは、上述した酸素系排出配管２１ｂを介して、排出ガス希釈器５６に接続されている。調圧弁インレット４１１ｄから調圧弁アウトレット４１１ｅまでの流路が流路Ｒ１（流路に該当する）である。
【００２５】
さらに、バルブボデー４１１の内周面において、調圧弁インレット４１１ｄと調圧弁アウトレット４１１ｅとの間には調圧弁座４１１ｆ（弁座に該当する）が形成されている。調圧弁座４１１ｆは平坦な円環状に形成されている。また、調圧弁座４１１ｆの外周には、全周に亘って溝部４１１ｇが形成されている。
【００２６】
バルブカバー４１２は、貫通させた取付ボルト４１３をカバー取付スリーブ４１１ａに締め付けることによって、バルブボデー４１１の上端面に取り付けられている。バルブカバー４１２は、バルブボデー４１１への取付面４１２ａと、取付面４１２ａから上方へと突出したモータ取付部４１２ｂと、モータ取付部４１２ｂの中央部において段付状に下降し、下端部が開口したシャフト収容部４１２ｃとにより形成されている。また、モータ取付部４１２ｂの上面には、複数の雌螺子穴４１２ｄが設けられている。バルブカバー４１２は、金属板をプレス成型することにより、上述した取付面４１２ａ、モータ取付部４１２ｂおよびシャフト収容部４１２ｃが一体に形成されている。
【００２７】
モータ取付部４１２ｂの上面には、上述したモータアッセンブリ４２が取り付けられている。モータアッセンブリ４２は、モータケース４２１の機構収容部４２１ａの外周面を、シャフト収容部４１２ｃの内周面に嵌合させた状態で、取付フランジ４２１ｂに貫通させた複数の取付スクリュー４３を、モータ取付部４１２ｂの雌螺子穴４１２ｄに締め付けることによってバルブカバー４１２に固定される。取付スクリュー４３は取付フランジ４２１ｂに形成された貫通孔（図示せず）に対して遊嵌しており、バルブカバー４１２は、シャフト収容部４１２ｃの内周面が機構収容部４２１ａの外周面に当接することにより、その位置決めが行われる。
【００２８】
モータケース４２１の内壁には、ステッピングモータ４２２が固定されている。ステッピングモータ４２２の出力シャフト４２２ａ（出力軸に該当する）の先端は円筒形状を呈しており、その軸心部には駆動孔４２２ｂが形成されている。駆動孔４２２ｂの内周面には所定の長さの雌螺子が形成されており、バルブシャフト４４（弁軸に該当する）の端部外周面に形成された雄螺子部４４１と螺合している。
【００２９】
バルブシャフト４４はステンレス等の金属材料にて形成され、その雄螺子部４４１の下方には二面幅部４４２が形成されている。二面幅部４４２は、モータケース４２１の下端部に形成された一対の対向面（図示省略）と係合しており、これによって、バルブシャフト４４はモータケース４２１に対して回転不能となっている。したがって、ステッピングモータ４２２の出力シャフト４２２ａが一方向に回転すると、バルブシャフト４４がバルブハウジング４１内において軸方向に下降し、出力シャフト４２２ａが反対方向に回転すると、バルブシャフト４４は上昇する。
【００３０】
上述したバルブシャフト４４の雄螺子部４４１と、出力シャフト４２２ａの雌螺子とは、ともに台形ネジにより形成されており、バルブシャフト４４と出力シャフト４２２ａとの間の逆効率がほぼ０に設定されていることが望ましい。これにより、バルブシャフト４４と出力シャフト４２２ａとの間の動作の伝達が不可逆的に形成され、エア調圧弁４が閉じられている状態で、バルブシャフト４４から出力シャフト４２２ａに向けて戻し荷重が働いた場合に、出力シャフト４２２ａは開弁する方向に回転せず、不用意にエア調圧弁４が開弁することがない。
【００３１】
図２に示したように、バルブシャフト４４の二面幅部４４２の下方には、モータケース４２１から突出し一定の径により軸方向に延びた円柱部４４３が形成されている。円柱部４４３の外周面は、バルブカバー４１２のシャフト収容部４１２ｃの下端に形成されたシャフトリテーナ部４１２ｅにより、軸方向に移動可能に支持されている。互いに当接する円柱部４４３の外周面またはシャフトリテーナ部４１２ｅには無電解ニッケルメッキ等が施され、その摺動面の耐摩耗性を向上させている。
【００３２】
さらに、円柱部４４３の先端部には、円柱部４４３よりも小径に形成された連結部４４４が一体に形成されている。連結部４４４は、外周面において対向する一対の平坦面４４４ａを有する二面幅形状に形成されている。
【００３３】
連結部４４４には、軸心に直交する方向にボール孔４４５が貫通しており、ボール孔４４５の両端部は、対向した平坦面４４４ａに直交するようにそれぞれ開口している。ボール孔４４５内には、鋼球４４６が配置されている。鋼球４４６の直径は、平坦面４４４ａ同士の距離（二面幅の厚み）よりも大きく設定されており、鋼球４４６はボール孔４４５の両端部から突出している。また、鋼球４４６の直径は、ボール孔４４５の直径よりも僅かに小さく、鋼球４４６はボール孔４４５内において回転可能、かつ、ボール孔４４５内をボール孔４４５の軸方向に移動可能に収容されている。
【００３４】
バルブシャフト４４の先端部に設けられた鋼球４４６には、バルブシャフト４４の軸心に対し半径方向に延びるように、バルブ部材４５（弁体に該当する）が取り付けられている。バルブ部材４５のバルブフレーム４５１は、ステンレス等の金属板がプレス成形されて形成されている。バルブフレーム４５１は、バルブシャフト４４の軸心に対し、半径方向に円板状に延びた平板部４５１ａを有しており、平板部４５１ａには外周縁を覆うようにシール部材４５２が固着されている。
【００３５】
シール部材４５２は、ＳＢＲ（スチレン−ブタジエンゴム）またはＥＰＤＭ（エチレン−プロピレン−ジエン共重合体）といった合成ゴム材料にて形成されている。シール部材４５２の下面（一側の面に該当する）には、バルブ部材４５の下降により、バルブボデー４１１に形成された調圧弁座４１１ｆと当接可能なシールリップ４５２ａが突出している。図２に示したように、シールリップ４５２ａは、断面リップ状に形成されている。このシールリップ４５２ａは、発電停止時に、電池スタック６内に残留した水素ガスと酸素の反応や電池スタック６の温度低下による残留水蒸気の凝縮などによって発生する負圧によりセルフシールするように、半径方向内向き（調圧弁アウトレット４１１ｅに向いて）に形成されている。
【００３６】
さらに、シール部材４５２の上面（一側の面の反対側の他側の面に該当する）には、壁部４５２ｂが形成されている。壁部４５２ｂは、バルブハウジング４１の流路Ｒ１であって調圧弁座４１１ｆが形成されている部分のうち流路Ｒ１内の液体が自重によって溜まる部分Ｒ１ａに対応するシール部材４５２の上面縁部に形成されている。調圧弁４の取付位置（取付角度）が事前に決定されているときには、壁部４５２ｂは、車両が水平面に駐車されている場合における水が溜まる部分Ｒ１ａに相当（対応）する箇所に形成されるのが好ましい。
【００３７】
バルブフレーム４５１には、平板部４５１ａの半径方向中心部に連続した段部４５１ｂが形成されている。段部４５１ｂはバルブシャフト４４の軸方向に延びており、径方向の段差が軸方向に並ぶように２箇所に形成されている。
また、バルブフレーム４５１は、一端が段部４５１ｂに連続した円筒部４５１ｃを有している。円筒部４５１ｃは、平板部４５１ａに対して垂直方向に延び、バルブシャフト４４の円柱部４４３が挿入されている。さらに、バルブフレーム４５１は、円筒部４５１ｃの他端に連続して形成され、先端が袋状に閉じていることにより、バルブシャフト４４の連結部４４４を収容することが可能な取付部４５１ｄを有している。
【００３８】
取付部４５１ｄは、バルブシャフト４４の連結部４４４が収容された場合に、それぞれ連結部４４４の平坦面４４４ａと対向するように一対の固定壁４５１ｅを有している。各々の固定壁４５１ｅからは、取付部４５１ｄ内に連結部４４４を挿入した際に、鋼球４４６を収容可能な嵌合部４５１ｆが突出している。また、取付部４５１ｄには、固定壁４５１ｅ同士を繋ぐように、対向した一対の接続面部（図示省略）が形成されている。
【００３９】
双方の固定壁４５１ｅの内周面間の距離は、連結部４４４の平坦面４４４ａ同士の距離（二面幅の厚み）よりも大きく、双方の接続面部の内周面間の距離は、連結部４４４の側面部４４４ｂ同士の距離よりも大きく設定されている。
バルブシャフト４４にバルブ部材４５１を取り付ける場合、ボール孔４４５内に鋼球４４６を配置した状態で、平坦面４４４ａから突出した鋼球４４６が嵌合部４５１ｆ内に収容されるように、連結部４４４を取付部４５１ｄ内に挿入する。その後、鋼球４４６に対して、双方の固定壁４５１ｅをかしめることによりかしめ部４５１ｈが形成され、取付部４５１ｄが鋼球４４６に固定される。
【００４０】
また、バルブフレーム４５１がバルブシャフト４４に取り付けられた状態において、円筒部４５１ｃの内周面と、挿入されたバルブシャフト４４の円柱部４４３の外周面との間には、バルブシャフト４４の軸心に対する半径方向の隙間ε（以下、半径方向隙間εという）が形成されている。半径方向隙間εは、円筒部４５１ｃの内周面と円柱部４４３の外周面との間において全周に渡って形成されている。半径方向隙間εを設けたことによって、バルブ部材４５はバルブシャフト４４に対し傾き可能に形成されている。
【００４１】
図２に示すように、バルブフレーム４５１の段部４５１ｂの内周面には、上方からスプリングリテーナ４５３が圧入固定されている。スプリングリテーナ４５３は、金属板がプレス工程にて絞られて形成されている。スプリングリテーナ４５３は、段部４５１ｂの下方に形成された段差と円柱部４４３との間に位置する円筒状の固定部４５３ａと、固定部４５３ａから半径方向外方へと拡がった肩部４５３ｂとを有している。
【００４２】
スプリングリテーナ４５３の固定部４５３ａは、肩部４５３ｂがバルブフレーム４５１の平板部４５１ａの上面に当接するまで、バルブフレーム４５１の段部４５１ｂの内周面に圧入されている。段部４５１ｂに圧入された固定部４５３ａは、バルブシャフト４４の円柱部４４３の外周面との間には隙間を有しているため、バルブ部材４５のバルブシャフト４４に対する傾きを妨げることはない。
【００４３】
また、段部４５１ｂの上方に形成された段差と固定部４５３ａとの間には、シール部材であるＯリング４５４が介装されている。Ｏリング４５４は、バルブフレーム４５１と固定部４５３ａとの間においてシール機能を発揮し、エア調圧弁４内に浸入した水分または異物等が、バルブフレーム４５１の取付部４５１ｄあるいは後述するダイヤフラム４６で区分けされた空気室４１５まで浸入することを防止している。
さらに、スプリングリテーナ４５３は、肩部４５３ｂから上方へと延びた連結部４５３ｃと、連結部４５３ｃから半径方向外方へと拡がる締付部４５３ｄとを備えている。
【００４４】
また、ダイヤフラム保持体４５５は、半径方向内端にバルブシャフト４４の軸方向に延びる係合部４５５ａを有し、係合部４５５ａの上端からは、押圧部４５５ｂが半径方向に延びている。押圧部４５５ｂの下面がスプリングリテーナ４５３の連結部４５３ｃの上端に当接するまで、係合部４５５ａが連結部４５３ｃの内周面に圧入されることにより、スプリングリテーナ４５３とダイヤフラム保持体４５５は一体化されている。
【００４５】
スプリングリテーナ４５３の締付部４５３ｄとダイヤフラム保持体４５５の押圧部４５５ｂとの間には、ダイヤフラム４６の内周縁が固定されている。ダイヤフラム４６は合成ゴム材料にて一体的に形成されており、略中央部には表裏を貫通する装着孔４６１が形成されている。装着孔４６１の周縁は、締付部４５３ｄと押圧部４５５ｂとにより上下方向に挟圧され、双方の間において液密的に固定されている。
【００４６】
ダイヤフラム４６の外周縁は、前述したバルブボデー４１１の上端面とバルブカバー４１２のモータ取付部４１２ｂの下端との間において挟圧され、液密的に固定されている。このように、ダイヤフラム４６がバルブハウジング４１の内周面とバルブ部材４５とに取り付けられることにより、ダイヤフラム４６およびバルブ部材４５によって、バルブハウジング４１の内部が２つに区分けされている。すなわち、バルブハウジング４１の内部は、調圧弁インレット４１１ｄ、調圧弁アウトレット４１１ｅおよび調圧弁座４１１ｆを含み供給された流体（気体）が通過する流体室４１４と、流体等の進入が防止され空気が充填されている空気室４１５とが形成されている。空気室４１５は、バルブカバー４１２に設けられた図示しない通気孔により外気に連通している。
【００４７】
ダイヤフラム４６はバルブ部材４５とともに移動するものである。ダイヤフラム４６の一側は流路Ｒ１および弁座４１１ｆを含んで構成され前記流体（気体）が流通する流体室４１４に面しており、ダイヤフラム４６の他側は前記流体（気体）の進入が禁止され大気に開放されている空気室４１５に面している。さらに、ダイヤフラム４６の有効受圧面積はバルブ部材４５の有効受圧面積より大きくなるようになっている。
【００４８】
スプリングリテーナ４５３の肩部４５３ｂと、バルブカバー４１２のシャフト収容部４１２ｃの段部との間には、バルブシャフト４４を円周方向に取り囲むようにコイルスプリング４７が介装されている。コイルスプリング４７は、スプリングリテーナ４５３とバルブカバー４１２との間に弾発的に装着され、バルブ部材４５をバルブシャフト４４の先端方向に向けて付勢している。
【００４９】
調圧弁インレット４１１ｄからバルブハウジング４１の内部に、空気等の所定の圧力を有した流体が供給されると、上述したダイヤフラム４６が流体から圧力を受けて、バルブ部材４５の上部は、ダイヤフラム４６により円周上を均等に引っ張られて、バルブシャフト４４の軸心からずれずに（センタリング）、バルブシャフト４４の軸心に対して傾かずに保持される。
【００５０】
また、上述したコイルスプリング４７のバルブシャフト４４の先端方向に向けた付勢力により、バルブ部材４５の下方部も、バルブシャフト４４の軸心からずれずに（センタリング）、バルブシャフト４４の軸心に対して傾かずに保持される。尚、コイルスプリング４７は、スプリングリテーナ４５３とバルブカバー４１２との間に設ける代わりに、ダイヤフラム保持体４５５の押圧部４５５ｂとバルブカバー４１２との間に介装されていてもよい。
【００５１】
次に、エア調圧弁４の作動について説明する。バルブシャフト４４が上方にあり、バルブ部材４５のシール部材４５２が調圧弁座４１１ｆから離間している（離れている）時、エア調圧弁４は開弁状態にある（図示省略）。この状態において、調圧弁インレット４１１ｄと調圧弁アウトレット４１１ｅとが連通しており、双方の間の空気等の流体の流通は許容されている。
【００５２】
制御装置９からの駆動信号により、ステッピングモータ４２２が一方向に回転すると、バルブ部材４５がバルブシャフト４４とともに軸方向に下降し、シール部材４５２が調圧弁座４１１ｆに着座する（接触する。図２参照）。これにより、エア調圧弁４は閉弁状態となり、調圧弁インレット４１１ｄと調圧弁アウトレット４１１ｅとの間の連通が遮断され、双方の間の流体（気体）の流通は断たれる。すなわち、エア調圧弁４においては、モータアッセンブリ４２の出力シャフト４２２ａが閉弁位置にて位置決め固定されることにより、バルブ部材４５が弁座４１１ｆに接触しバルブハウジング４１の流路Ｒ１が閉じられる状態が維持される。
【００５３】
さらに、凍結時におけるエア調圧弁４の作動について図４を参照して説明する。なお、左側の図は、壁部４５２ｂがないものを、右側の図は、壁部４５２ｂがあるものを示している。いずれも、図２に示す調圧弁４（バルブシャフト４４）が左側に傾斜されて車両に取り付けられている状態を示している。
【００５４】
車両の燃料電池システム１が停止されると、燃料電池６のカソード流路６２が湿潤状態であり、カソード流路６２の水蒸気の凝縮水が水滴として流路Ｒ１内壁面に発生する。この水滴を流路から排出するために、大量の空気を一度に投入する掃気が行われるが、水滴全てを排出することはできないし、掃気後に流路Ｒ１壁面に水滴が付く場合もある。燃料電池システムの停止中において、掃気後に流路Ｒ１内に存在する水滴は、自重によって流路Ｒ１の下部に向かって流れて、水が溜まる部分Ｒ１ａに溜まる。
【００５５】
このとき、図４の左側に示すように、壁部４５２ｂが形成されていないときには、水が溜まる部分Ｒ１ａに溜まった水Ｗが、バルブ部材４５の上面すなわちバルブフレーム４５１およびシール部材４５２の上面の少なくとも一部を浸水する。すなわち、水Ｗがバルブ部材４５の上面の一部を覆っている。
この状態で、周囲が低温となって、水が溜まる部分Ｒ１ａに溜まった水Ｗが凍結すると、バルブ部材４５の上面の一部が氷で覆われる。
【００５６】
一方、図４の右側に示すように、壁部４５２ｂが形成されているときには、水が溜まる部分Ｒ１ａに溜まった水Ｗは、壁部４５２ｂによってバルブ部材４５の上面すなわちバルブフレーム４５１およびシール部材４５２の上面に浸水しない。すなわち、水Ｗがバルブ部材４５の上面を覆うことを抑制することができるため、周囲が低温となって、水が溜まる部分Ｒ１ａに溜まった水Ｗが凍結しても、バルブ部材４５の上面が氷で覆われるのを抑制することができる。
【００５７】
したがって、駆動力の比較的大きな大型・高コストの駆動装置を設けることなく、従来どおりの比較的小駆動力の小型・低コストの駆動装置を使用することで、凍結固着したバルブ部材４５を作動させることができるため、調圧弁４（流体制御弁）の開弁性を高く維持することができる。
【００５８】
次に、三方弁３（流体制御弁に該当する）の構造について、図３に基づき詳細に説明する。尚、以下、図３における上方および下方を、それぞれ三方弁３の上方および下方とし、図３における右方および左方を、それぞれ三方弁３の右方および左方として説明しているが、車両における三方弁３の実際の取付方向とは無関係である。なお、車両における三方弁３は、バルブシャフト３３が水平面に対して傾斜するように、すなわち図５に示すようにバルブ部材３５が水平面に対して傾斜するように、車両に設けられた取付部（取付先部材に該当する。図示省略）に取り付けられている。
【００５９】
図３に示したように、三方弁３もエア調圧弁４と同様に、バルブハウジング３１の外周面にモータアッセンブリ３２（駆動装置に該当する）が取り付けられて形成されている。バルブハウジング３１は、ともにポリフェニレンサルファイド等の合成樹脂材料にて形成された第１ボデー３１１と第２ボデー３１２とを、互いに液密的に嵌合させて形成している。
【００６０】
第１ボデー３１１には、図３において右方に開口する三方弁インレット３１１ａ（流入口に該当する）が形成されている。三方弁インレット３１１ａは、上述した酸素系供給配管２１ａを介して、インタークーラ２４に接続されている（図１参照）。また、第２ボデー３１２には、三方弁インレット３１１ａに対し垂直方向に開口（図３において下方に開口）する三方弁アウトレット３１２ａ（流出口に該当する）が形成されている。三方弁アウトレット３１２ａは、上述した酸素系供給配管２１ａを介して、電池スタック６のカソード流路６２の一端に接続されている（図１参照）。三方弁インレット３１１ａから三方弁アウトレット３１２ａまでの流路が流路Ｒ２（流路に該当する）である。
また、第１ボデー３１１には、図３において左方に開口するバイパス口３１１ｂが形成されている。バイパス口３１１ｂは、上述したバイパス配管２１ｃを介して、排出ガス希釈器５６に接続されている（図１参照）。
【００６１】
また、第２ボデー３１２の内周面において、三方弁インレット３１１ａと三方弁アウトレット３１２ａとの間には制御弁座３１２ｂ（弁座に該当する）が形成されている。制御弁座３１２ｂは平坦な円環状に形成されている。また、制御弁座３１２ｂの外周には、全周に亘って溝部３１２ｃが形成されている。
【００６２】
また、第１ボデー３１１の内部上面からは、円筒状の着座体３１１ｃが下方に延びている。着座体３１１ｃの下端は平坦に形成され、三方弁インレット３１１ａおよび三方弁アウトレット３１２ａと、バイパス口３１１ｂとの間に位置するバイパス弁座３１１ｄが形成されている。また、第１ボデー３１１の内周上面からは、着座体３１１ｃの半径方向内方に位置するように、円筒形のシャフト支持部３１１ｅが突出している。
【００６３】
上述したエア調圧弁４と同様に、バルブハウジング３１の上面には、上述したモータアッセンブリ３２が取り付けられている。モータアッセンブリ３２は、モータケース３２１の機構収容部３２１ａの外周面を、第１ボデー３１１の上端部に形成されたモータ取付ボス３１１ｆの内周面に嵌合させた状態で、モータケース３２１に貫通させた複数の取付スクリュー３９を、第１ボデー３１１の固定部３１１ｇに締め付けることによって第１ボデー３１１に固定される。取付スクリュー３９はモータケース３２１の固定部３２１ｂに形成された貫通孔（図示せず）に対して遊嵌しており、モータアッセンブリ３２は、機構収容部３２１ａの外周面がモータ取付ボス３１１ｆの内周面に当接することにより、その位置決めが行われる。
第１ボデー３１１の固定部３１１ｇは、モータ取付ボス３１１ｆの開口端から外方に向けて延設されるフランジ部である。モータケース３２１の固定部３２１ｂは、バルブハウジング３１に設けられたバルブハウジング固定部３１１ｇに取り付けられている。
【００６４】
エア調圧弁４と同様に、モータケース３２１内には、ステッピングモータ３２２が固定されており、ステッピングモータ３２２の出力シャフト３２２ａ（出力軸の該当する）の回転運動は直進運動に変換され、バルブシャフト３３（弁軸に該当する）に伝達される。ステッピングモータ３２２の出力シャフト３２２ａの先端は円筒形状を呈しており、その軸心部には駆動孔３２２ｂが形成されている。駆動孔３２２ｂの内周面には所定の長さの雌螺子が形成されており、バルブシャフト３３の端部外周面に形成された雄螺子部３３９と螺合している。
バルブシャフト３３は、上述したシャフト支持部３１１ｅの内周面において、その軸方向に移動可能に支持されている。
【００６５】
バルブシャフト３３の長さ方向の略中央部には、一定の径により軸方向に延びた円柱部３３１が形成されている。また、円柱部３３１の上方には、円柱部３３１と同径の第１ランド部３３２が設けられており、円柱部３３１と第１ランド部３３２との間には、第１シール溝３３３が円周上に形成されている。第１シール溝３３３内には、合成ゴム材料にて形成されたシールパッキン３４が装着されている。シールパッキン３４は、バルブシャフト３３の外周面とシャフト支持部３１１ｅの内周面との間でシール性能を発揮し、モータアッセンブリ３２内への水、異物等の浸入を防止している。
【００６６】
バルブシャフト３３の先端部には、円柱部３３１よりも小径の連結部３３４が一体に形成されている。エア調圧弁４と同様に、連結部３３４は、外周面において対向する一対の平坦面３３４ａを有する二面幅形状に形成されている。
連結部３３４には、軸心に直交する方向にボール孔３３５が貫通しており、ボール孔３３５の両端部は、対向した平坦面３３４ａに直交するようにそれぞれ開口している。ボール孔３３５内には、鋼球３３６が回転可能、かつ、ボール孔３３５の軸方向に移動可能に配置されている。連結部３３４、ボール孔３３５および鋼球３３６の寸法関係は、上述したエア調圧弁４の場合と同様に設定されている。
【００６７】
エア調圧弁４と同様に、連結部３３４にはバルブ部材３５（弁体に該当する）が取り付けられている。バルブ部材３５のバルブフレーム３５１は、バルブシャフト３３の軸心に対し、半径方向に円板状に延びた平板部３５１ａを有しており、平板部３５１ａにはその外周面（上面および外周縁）を覆うように、合成ゴム材料にて形成されたシール部材３５２が被覆されている。
【００６８】
シール部材３５２の下面には、バルブ部材３５の下降により、第２ボデー３１２に形成された制御弁座３１２ｂと当接可能なシールリップ３５２ａが突出している。図３に示したように、シールリップ３５２ａは、電池スタック６内に残留した水素ガスと酸素の反応によって発生する負圧によりセルフシールするように、半径方向外向きに形成されている。
【００６９】
さらに、シール部材３５２の上面（一側の面の反対側の他側の面に該当する）には、上述した壁部４５２ｂと同様に構成された壁部３５２ｂが形成されている。壁部３５２ｂは、バルブハウジング３１の流路Ｒ２であって制御弁座３１２ｂが形成されている部分のうち流路Ｒ２内の液体が自重によって溜まる部分Ｒ２ａに対応するシール部材３５２の上面縁部に形成されている。三方弁３の取付位置（取付角度）が事前に決定されているときには、壁部３５２ｂは、車両が水平面に駐車されている場合における水が溜まる部分Ｒ２ａに相当（対応）する箇所に形成されるのが好ましい。
【００７０】
さらに、シール部材３５２の上面には、壁部３５２ｂの内側にバルブシャフト３３と同軸的に環状の凸部３５２ｃが形成されている。環状の凸部３５２ｃの上面は、バルブ部材３５の上昇により、第１ボデー３１１に形成されたバイパス弁座３１１ｄと当接可能となっている。環状の凸部３５２ｃは、凸部３５２ｃがバイパス弁座３１１ｄに当接しているときに、壁部３５２ｂが流路Ｒ２の内壁面（壁部３５２ｂの上方位置の内壁面）に当接しないように構成されている。
【００７１】
バルブフレーム３５１には、平板部３５１ａの半径方向中心部において、バルブシャフト３３の先端方向に窪んだ凹部３５１ｂが形成されている。また、バルブフレーム３５１は、一端が凹部３５１ｂの内周端に連続した円筒部３５１ｃを有している。円筒部３５１ｃは、平板部３５１ａに対して垂直方向に延び、バルブシャフト３３の円柱部３３１が挿入されている。
【００７２】
さらに、バルブフレーム３５１は、エア調圧弁４と同様に、円筒部３５１ｃの他端に連続して形成され、バルブシャフト３３の連結部３３４を受け入れる取付部３５１ｄを有している。取付部３５１ｄはボール孔３３５から突出した鋼球３３６に対しかしめられ、鋼球３３６に対し脱落不能に固定されている。
尚、図３において、バルブ部材３５（バルブフレーム３５１）をバルブシャフト３３に取り付けるために、取付部３５１ｄに形成される構成のうち、エア調圧弁４と同様の構成については、あえて符号を省略している。
【００７３】
エア調圧弁４と同様に、バルブフレーム３５１はバルブシャフト３３に取り付けられた状態において、円筒部３５１ｃの内周面と、バルブシャフト３３の円柱部３３１の外周面との間には、バルブシャフト３３の軸心に対する半径方向隙間εが全周上に形成されている。
バルブシャフト３３において、上述した連結部３３４の上方には円柱部３３１と同径の第２ランド部３３７が設けられており、円柱部３３１の下端と第２ランド部３３７との間には、第２シール溝３３８が円周上に形成されている。第２シール溝３３８内には、合成ゴム材料にて形成されたリング状のシャフトシール３６が装着されている。シャフトシール３６は、バルブシャフト３３の外周面とバルブフレーム３５１の円筒部３５１ｃの内周面との間でシール性能を発揮し、バルブフレーム３５１の円筒部３５１ｃおよび取付部３５１ｄ内への水、異物等の浸入を防止している。
【００７４】
また、バルブフレーム３５１の凹部３５１ｂと、第１ボデー３１１の内部上面との間には、バルブスプリング３７が介装されている。バルブスプリング３７の内周面は、上述したシャフト支持部３１１ｅの外周面に嵌着している。バルブスプリング３７は、バルブフレーム３５１と第１ボデー３１１との間に弾発的に装着され、バルブ部材３５をバルブシャフト３３の先端方向に向けて付勢している。バルブスプリング３７の付勢力により、バルブ部材３５はバルブシャフト３３の軸心からずれずに（センタリング）、バルブシャフト３３の軸心を中心として傾かずに保持される。
【００７５】
次に、三方弁３の作動について簡単に説明する。バルブシャフト３３が上方にある時、バルブ部材３５のシール部材３５２の凸部３５２ｃの上面がバイパス弁座３１１ｄに着座する（接触する）とともに、制御弁座３１２ｂから離間している（離れている。図示省略）。この時、三方弁インレット３１１ａと三方弁アウトレット３１２ａとは連通し、双方の間の空気等の流体の流通が許容されるとともに、三方弁インレット３１１ａおよび三方弁アウトレット３１２ａと、バイパス口３１１ｂとの間の連通は遮断され、これらの間の流体の流通は断たれる。
【００７６】
制御装置９からの駆動信号により、ステッピングモータが一方向に回転すると、バルブ部材３５がバルブシャフト３３とともに軸方向に下降し、シール部材３５２の凸部３５２ｃの上面がバイパス弁座３１１ｄから離れるとともに、シールリップ３５２ａが制御弁座３１２ｂに着座する（接触する。図３参照）。この時、三方弁インレット３１１ａとバイパス口３１１ｂとが連通し、双方の間の空気等の流体の流通が許容されるとともに、三方弁インレット３１１ａおよびバイパス口３１１ｂと、三方弁アウトレット３１２ａとの間の連通は遮断され、これらの間の流体の流通は断たれる。
【００７７】
三方弁３において、バルブ部材３５は、制御弁座３１２ｂとバイパス弁座３１１ｄとの間において任意の位置をとることにより、三方弁インレット３１１ａから供給された流体の、三方弁アウトレット３１２ａおよびバイパス口３１１ｂへそれぞれ分流される流量を、流体が通過する通路の断面積に基づき制御することができる。
【００７８】
このとき、壁部３５２ｂは、バルブ部材３５が開弁位置にあるとき、該壁部３５２ｂと流路Ｒ２の内壁面との間の流路断面積を所定値以上となるように形成されている。なお、所定値は、バルブ部材３５が開弁位置にあるとき、圧力損失が所定値以下となる値である。これによれば、三方弁３（流体制御弁）が開弁状態にあるとき、壁部３５２ｂと流路Ｒ２の内壁との間の流路は所定値以上の流路断面積を確実に確保することができるので、圧力損失を低く抑制することができる。
【００７９】
さらに、凍結時における三方弁３の作動について図５を参照して説明する。なお、左側の図は、壁部３５２ｂがないものを、右側の図は、壁部３５２ｂがあるものを示している。いずれも、図３に示す三方弁３（バルブシャフト３３）が左側に傾斜されて車両に取り付けられている状態を示している。
【００８０】
上述した凍結時におけるエア調圧弁４の作動の説明と同様に、燃料電池システムの停止中において、掃気後に流路Ｒ２内に存在する水滴は、自重によって流路Ｒ２の下部に向かって流れて、水が溜まる部分Ｒ２ａに溜まる。このとき、図５の左側に示すように、壁部３５２ｂが形成されていないときには、水が溜まる部分Ｒ２ａに溜まった水Ｗが、バルブ部材３５の上面すなわちバルブフレーム３５１およびシール部材３５２の上面の少なくとも一部を浸水する。すなわち、水Ｗがバルブ部材３５の上面の一部を覆っている。この状態で、周囲が低温となって、水が溜まる部分Ｒ２ａに溜まった水Ｗが凍結すると、バルブ部材３５の上面の一部が氷で覆われる。
【００８１】
一方、図５の右側に示すように、壁部３５２ｂが形成されているときには、水が溜まる部分Ｒ２ａに溜まった水Ｗは、壁部３５２ｂによってバルブ部材３５の上面すなわちバルブフレーム３５１およびシール部材３５２の上面に浸水しない。すなわち、水Ｗがバルブ部材３５の上面を覆うことを抑制することができるため、周囲が低温となって、水が溜まる部分Ｒ２ａに溜まった水Ｗが凍結しても、バルブ部材３５の上面が氷で覆われるのを抑制することができる。
【００８２】
したがって、駆動力の比較的大きな大型・高コストの駆動装置を設けることなく、従来どおりの比較的小駆動力の小型・低コストの駆動装置を使用することで、凍結固着したバルブ部材３５を作動させることができるため、三方弁３（流体制御弁）の開弁性を高く維持することができる。
【００８３】
本実施形態によれば、バルブシャフト３３，４４（弁軸）が水平面に対して傾斜した状態でバルブハウジング３１，４１が取付部１１ａ（取付先部材）に取り付けられたとき、バルブ部材３５，４５（弁体）が制御弁座３１２ｂまたは調圧弁座４１１ｆ（弁座）に接触（着座）している際に流路Ｒ１，Ｒ２内の液体（例えば水）が流路Ｒ１，Ｒ２の一部（例えば最下部）に溜まった場合、バルブ部材３５，４５（弁体）の他側の面（上面）に形成された壁部３５２ｂ，４５２ｂが、溜まった水がバルブ部材３５，４５（弁体）の上面部を越える（弁体の他側の面（上面）上まで浸水する）のを抑制することができる。よって、溜まった水Ｗが凍結した場合であっても、駆動力の比較的大きな大型・高コストの駆動装置を設けることなく、従来どおりの比較的小駆動力の小型・低コストの駆動装置を使用することで、凍結固着したバルブ部材３５，４５（弁体）を作動させて流体制御弁の開弁性を高く維持することができる。
【００８４】
また、バルブハウジング３１，４１は、制御弁座３１２ｂまたは調圧弁座４１１ｆ（弁座）の外周に全周に亘って形成された溝部３１２ｃ，４１１ｇを有する。
これによれば、バルブハウジング３１，４１の流路Ｒ１，Ｒ２の水が溜まる部分Ｒ１ａ，Ｒ２ａの貯水量を溝部３１２ｃ，４１１ｇの容積だけ増量することができるため、水が溜まる部分Ｒ１ａ，Ｒ２ａに溜まる水量を少なく抑制することができ、ひいては溜まった水Ｗがバルブ部材３５，４５（弁体）の上面部を越える（弁体の他側の面（上面）上まで浸水する）のをさらに抑制することができる。
【００８５】
また、調圧弁４（流体制御弁）は、バルブ部材４５（弁体）とともに移動するダイヤフラム４６をさらに備え、ダイヤフラム４６の一側は流路および弁座を含んで構成され流体が流通する流体室４１４に面しており、ダイヤフラム４６の他側は流体の進入が禁止され大気に開放されている空気室４１５に面しており、ダイヤフラム４６の有効受圧面積は弁体の有効受圧面積より大きい。
これによれば、バルブ部材４５（弁体）とともに移動するダイヤフラム４６をさらに備えた調圧弁４（流体制御弁）においても、上述した作用効果を得ることができる。
【００８６】
また、壁部３５２ｂ，４５２ｂは、バルブ部材３５，４５（弁体）が開弁位置にあるとき、該壁部３５２ｂ，４５２ｂと流路Ｒ１，Ｒ２の内壁との間の流路断面積を所定値以上となるように形成されている。
これによれば、三方弁３，調圧弁４（流体制御弁）が開弁状態にあるとき、３５２ｂ，４５２ｂと流路Ｒ１，Ｒ２の内壁との間の流路は所定値以上の流路断面積を確実に確保することができるので、圧力損失を低く抑制することができる。
【００８７】
なお、上述した実施形態においては、壁部４５２ｂ（または３５２ｂ）は、シール部材４５２の上面縁部のうち水が溜まる部分Ｒ１ａ（またはシール部材３５２の上面縁部のうち水が溜まる部分Ｒ２ａ）に対応する箇所に設けられているが、図６に示すように、壁部４５２ｃは、シール部材４５２の上面縁部の全周に亘って形成するようにしてもよい。
【００８８】
これによれば、バルブ部材３５，４５（弁体）の他側の面（上面）の上方の流体内壁から水がバルブ部材３５，４５（弁体）の上面に落ちたとき、その落水はバルブ部材３５，４５（弁体）の縁部全周に形成された壁部４５２ｃによって弁体上面に貯水されるため、バルブハウジング３１，４１の流路Ｒ１，Ｒ２の水が溜まる部分Ｒ１ａ，Ｒ２ａに溜まる水量を少なく抑制することができ、ひいては溜まった水Ｗがバルブ部材３５，４５（弁体）の上面部を越える（弁体の他側の面（上面）上まで浸水する）のをさらに抑制することができる。
【００８９】
また、バルブハウジング３１，４１にバルブ部材３５，４５（弁体）を組み付ける際に、上述したように壁部３５２ｂ，４５２ｂを所定位置（水が溜まる部分Ｒ１ａ，Ｒ２ａに対応する位置）に位置決めする工程を省略することでき、ひいてはバルブ部材３５，４５（弁体）の組付けを容易にすることができる。
さらに、駐車中の車両の傾斜角度によっては、水が溜まる部分が変更するときがあるが、壁部４５２ｃがバルブ部材３５，４５（弁体）の上面縁部全周に設けられているため、水が溜まる部分が変更したときに溜まった水が凍結した場合であっても、駆動力の比較的大きな大型・高コストの駆動装置を設けることなく、従来どおりの比較的小駆動力の小型・低コストの駆動装置を使用することで、凍結固着した弁体を作動させて流体制御弁を開弁することができる。
【符号の説明】
【００９０】
図面中、３は三方弁（流体制御弁）、４はエア調圧弁（流体制御弁）、３１，４１はバルブハウジング、３２，４２はモータアッセンブリ（駆動装置）、３３，４４はバルブシャフト（弁軸）、３５，４５はバルブ部材（弁体）、３６はシャフトシール、３１１ａは三方弁インレット（流入口）、３１２ａは三方弁アウトレット（流出口）、３１２ｂは制御弁座（弁座）、３１２ｃは溝部、３３４，４４４は連結部、３５１，４５１はバルブフレーム、３５１ａ，４５１ａは平板部、３５１ｂは凹部、３５１ｃ，４５１ｃは円筒部、３５１ｄ，４５１ｄは取付部、３５２，４５２はシール部材、３５２ａ，４５２ａはシールリップ、３５２ｂ，４５２ｂ，４５２ｃは壁部、４１１ｄは調圧弁インレット（流入口）、４１１ｅは調圧弁アウトレット（流出口）、４１１ｆは調圧弁座（弁座）、４１１ｇは溝部、Ｒ１，Ｒ２は流路、Ｒ１ａ，Ｒ２ａは水が溜まる部分を示している。
【図１】
2015014331.tif 000003
【図２】
2015014331.tif 000004
【図３】
2015014331.tif 000005
【図４】
2015014331.tif 000006
【図５】
2015014331.tif 000007
【図６】
2015014331.tif 000008